(57)【要約】  本発明は、キャリヤ液のメインストリームの通過のためのメインストリームライン２３、第１の接合部２５でメインストリームライン２３から分岐しており、第２の接合部２６でメインストリームライン２３に戻る第２のストリームライン３、及び少なくとも１の混合成分を収容するためのタンク１であって、タンク１が第２のストリームライン３に連結された吐出し口３１を含む前記タンクを有する液体混合物を分配するためのシステムに関する。本発明のシステムは、タンク１がタンク１中に存在する混合成分を吐出しライン３２を通って第２のストリームライン３中に搬送するための計量ポンプ２を含み、システムが計量ポンプ２に着脱可能式で接続される、計量ポンプ２を運転するための駆動ユニット８、２８、２９を含むことにより特徴づけられる。【選択図】図１
2015509062.tif 000002
【特許請求の範囲】
【請求項１】
−キャリヤ液のメインストリームの通過のためのメインストリームライン（２３）、
−第１の接合部（２５）でメインストリームライン（２３）から分岐しており、第２の接合部（２６）でメインストリームライン（２３）に戻る第２のストリームライン（３）、及び
−少なくとも１の混合成分を収容するためのタンク（１）であって、タンク（１）が第２のストリームライン（３）に連結された吐出し口（３１）を含む前記タンク、
を有する液体混合物を分配するためのシステムであって、
−タンク（１）がタンク（１）中に存在する混合成分を吐出しライン（３２）を通って第２のストリームライン（３）中に搬送するための計量ポンプ（２）を含み、
−システムが計量ポンプ（２）に着脱可能式で接続される、計量ポンプ（２）を運転するための駆動ユニット（８、２８、２９）を含む、
前記システム。
【請求項２】
駆動ユニット（８、２８、２９）が計量ポンプ（２）を液圧式で運転する、
請求項１に記載のシステム。
【請求項３】
第２のストリームミキシングチャンバ（９）が混合成分の第２のストリームライン（３）への供給場所の下流又はその場所の、第２のストリームライン（３）に配置される、
請求項１又は２に記載のシステム。
【請求項４】
システムが少なくとも１の混合成分を収容するための追加のタンク（１）を含み、追加のタンク（１）が第２のストリームライン（３）に対する第２のストリームミキシングチャンバ（９）の上流又はその位置で連結された吐出し口（３１）を含む、
請求項３に記載のシステム。
【請求項５】
メインストリームミキシングチャンバ（７）が第２の接合部（２６）の下流でメインストリームライン（２３）に配置される、
請求項１〜４のいずれか１項に記載のシステム。
【請求項６】
駆動ユニット（８、２８、２９）が制御ユニット（３０）へのデータ接続を有し、制御ユニット（３０）が混合成分の第２のストリーム中への計量供給を制御し得る、
請求項１〜５のいずれか１項に記載のシステム。
【請求項７】
タンク（１）が計量ポンプ（２）の計量容量に関連するデータ及び／又は収容された混合成分に関連するデータを保存する、データ保存媒体（３２）を含むトランスポンダを含み、システムがデータ保存媒体（３２）に保存されたデータを受信するための制御ユニット（３０）に接続された受信機（３３）を含む、
請求項６に記載のシステム。
【請求項８】
弁（６）が第１と第２の接合部（２５、２６）の間のメインストリームライン（２３）に配置される、
請求項１〜７のいずれか１項に記載のシステム。
【請求項９】
システムがキャリヤ液のメインストリームを発生するための搬送ユニット（２７）を含み、メインストリームライン（２３）を通る体積流量が可変であり、第２のストリームライン（３）及び／又は弁（６）が第２のストリームライン（３）を通るキャリヤ液の体積流量がメインストリームライン（２３）を通るキャリヤ液の体積流量から独立するように設計される、
請求項１〜８のいずれか１項に記載のシステム。
【請求項１０】
−キャリヤ液のメインストリームを生じ、
−第１の接合部（２５）で、キャリヤ液の部分を含む第２のストリームをメインストリームから分岐し、第２の接合部（２６）で、それをメインストリームに戻し、
−混合成分を収容するタンク（１）に含まれる計量ポンプ（２）を計量ポンプ（２）に着脱可能式で接続された駆動ユニット（８、２８、２９）により運転し、タンク（１）中に存在する混合成分を計量して第２のストリーム中に投入し、
−キャリヤ液及び混合成分の混合物をメインストリーム中に投入し、
−キャリヤ液及び混合成分の混合物を有するメインストリームを分配する、
液体混合物を分配するための方法。
【請求項１１】
計量ポンプ（２）を駆動ユニット（８、２８、２９）により液圧式で運転する、
請求項１０に記載する方法。
【請求項１２】
第２のストリームにおいて、混合物を混合成分の供給場所の下流又はその場所の第２のストリームミキシングチャンバ（９）中で均質化する、
請求項１０又は１１に記載の方法。
【請求項１３】
第２のストリームライン（３）を通るキャリヤ液の体積流量がメインストリームライン（２３）を通るキャリヤ液の体積流量から独立している、
請求項１０〜１２のいずれか１項に記載の方法。
【請求項１４】
混合成分が活性化合物、特に植物防疫剤を含む、
請求項１０〜１３のいずれか１項に記載の方法。
【請求項１５】
植物防疫剤を含む混合物を分配するための請求項１〜９のいずれか１項に記載のシステムの使用。
【発明の詳細な説明】
【技術分野】
【０００１】
本発明は、キャリヤ液のメインストリームの通過のためのメインストリームライン、第１の接合部でメインストリームラインから分岐しており、第２の接合部でメインストリームラインに戻る第２のストリームライン、及び少なくとも１の混合成分を収容するためのタンクであって、第２のストリームラインに連結された吐出し口を含む前記タンクを有する液体混合物を分配するためのシステムに関する。本発明はまた、液体混合物を分配する方法に関する。このシステム又は方法は、特に植物防疫剤を含む液体混合物を分配又は噴霧するのに適している。この場合、タンク中に収容された混合成分は、活性化合物、特に植物防疫剤を含む。
【背景技術】
【０００２】
特に農業分野において、植物防疫剤を分配する際は、初めに、散布混合タンク中で水と植物防疫剤濃縮物の混合物を調製することが知られている。その後、散布混合タンク中に存在する希釈した植物防疫剤は、植物防疫散布機により畑に適用される。
【０００３】
加えて、US 5,737,221により、タンク中に顆粒状で存在する植物防疫剤を計量して直接畑に適用することが知られている。このため、電気機械的に作動可能な計量デバイスがタンクの底に設置してあり、これが植物防疫剤の放出を制御する。
【０００４】
更に、「直接計量」又は「直接噴射」するシステムが知られており、植物防疫剤は、輸送コンテナから又はシステムに付随する貯蔵タンクから引き出され、供給場所に搬送され、最終的にキャリヤ液のストリーム中に投入される。この場合、植物防疫剤を搬送するために計量ポンプを使用し得る。
【０００５】
このような計量システムでは、更に、システム中の無希釈残留量を回避するために、散布工程後に残ったシステムの液体内容物を輸送コンテナ中に、又はシステムに付随する貯蔵タンクに戻す専門の装置を使用することが知られている。
【０００６】
直接計量を伴うシステムでは更に、特に、濃縮された植物防疫剤と接触する計量ポンプその他の装置を洗い流すことが必要である。この場合、洗い流すための液体が、供給キャリヤ液、すなわち、特に供給水の維持するタンクを汚染しないことが重要である。
【０００７】
農業において使用される植物防疫剤の直接計量のための公知のシステムは、「フィールド散布機」に搭載される。これは、伝統的に、計量すべきそれぞれの植物防疫剤のための計量ポンプを含む。そこで、希釈した植物防疫剤の分配される体積流量が大きく異なり得るという問題が起こる。農業の植物防疫における体積流量は、例えば18m〜36mの異なるブーム幅にわたって、少なくとも0.2 l/ha〜5 l/haに及び得る。このような場合、操作速度は3km/h〜15km/hで異なり得る。これらの要求を満足するために、従来のシステムにおける計量ポンプは、0.08 l/分〜約2.80 l/分の体積流量を計量できるように設計する必要がある。このため、複数の計量範囲を有する、非常に複雑な計量ポンプが要求される。この理由から、公知の植物防疫直接計量システムは非常に複雑であり、技術的に難解である。
【０００８】
キャリヤ液を少なくとも1の活性化合物と混合した形態のスプレー液を散布するための農業用散布装置が、EP 1 749 443 A1において知られている。この散布装置はキャリヤ液を収容するタンク及び活性化合物を収容するタンクを含む。散布装置は更に、キャリヤ液を活性化合物と混合してスプレー液を提供するためのミキシングチャンバを含む。それぞれの活性化合物をミキシングチャンバに供給するための連結ラインが備えられ、またキャリヤ液をミキシングチャンバに供給するための連結ラインが備えられている。キャリヤ液と混合された活性化合物は、ミキシングチャンバに連結された搬送構造を経由して噴出される。液状でない活性化合物も使用され得るように、散布装置は、顆粒状又は粉末状で存在する活性化合物を混合し、液状に変換する混合チャンバを更に含む。
【０００９】
DE 39 08 963 A1は、植物処理製品を速度依存直接供給により適用する装置を開示している。この装置では、希釈剤は、ポンプにより、貯蔵タンクからミキシングチャンバに搬送される。希釈剤が搬送されると、希釈剤が一定の流体圧力下でミキシングチャンバに供給されるように圧力調節が実施される。植物処理製品の濃縮液もまた、計量デバイスを経由してミキシングチャンバに投入される。混合物はミキシングチャンバから散布ブームのスプレーノズルに進む。
【００１０】
DE 103 53 789 A1は、植物防疫スプレー液の活性化合物の直接計量のための方法を開示する。この方法は、活性化合物がノズルホルダーで直接的にキャリヤ液に添加されるという特徴を有する。
【００１１】
更なる植物防疫剤の直接計量のための散布デバイスは、DE 10 2006 045 450 B4により知られている。この散布デバイスでは、活性化合物が計量ポンプにより活性化合物供給ラインを経由してキャリヤ液ラインに投入され、活性化合物供給ラインがキャリヤ液ラインにつながるところで活性化合物供給ラインの中又は上にセンサーが備えられており、少なくとも液体の存在を感知し、対応する信号を出力する。
【００１２】
最後に、DE 10 2006 045 449 A1は、植物防疫剤を計量する計量ポンプ及び混合装置を使用する、植物防疫のスプレー液を噴霧する散布デバイスを開示する。混合装置で、キャリヤ液が植物防疫剤と混合される。散布デバイスは、メインストリームライン、活性化合物ライン及びミキシングチャンバを含む。ミキシングチャンバは、メインストリームラインから分岐し、メインストリームラインに戻ってくる第２のストリームライン中に配置される。
【先行技術文献】
【特許文献】
【００１３】
【特許文献１】US 5,737,221
【特許文献２】EP 1 749 443 A1
【特許文献３】DE 39 08 963 A1
【特許文献４】DE 103 53 789 A1
【特許文献５】DE 10 2006 045 450 B4
【特許文献６】DE 10 2006 045 449 A1
【発明の概要】
【発明が解決しようとする課題】
【００１４】
本発明の目的は、タンク中に存在する混合成分を非常に正確にメインストリームライン中に計量供給することができ、また、安価に製造することができる、上記種類のシステム及び方法を提供することである。
【課題を解決するための手段】
【００１５】
この目的は、請求項１に記載する特徴を有するシステム及び請求項１０に記載する特徴を有する方法による本発明によって達成される。本発明によるシステム及び本発明による方法の有利な実施形態及び更なる展開は、従属項により示される。
【００１６】
本発明による上記種類のシステムでは、タンクはタンク中に存在する混合成分を第２のストリームライン中に搬送するための計量ポンプを含む。システムは、計量ポンプに着脱可能式で接続される、計量ポンプを駆動するための駆動ユニットを更に含む。
【００１７】
本発明によるシステムでは、計量ポンプは、特にタンクの固定された構成部分である。タンクと一体の部分であることが好ましい。一方で、駆動ユニットは計量ポンプから独立して存在する。農業における使用では、それは例えば、フィールド散布機の一部分であり得る。システムを使用する場合には、タンク中に収容された混合成分がタンクの計量ポンプにより直接キャリヤ液ストリーム中に計量供給され得るように、駆動ユニットを計量ポンプに接続する。しかしながら、この場合、混合成分は、キャリヤ液のメインストリーム中に計量供給されるのではなく、代わりに第２のストリームラインの第２のストリーム中に計量供給される。このようにして、特に正確な計量供給が達成され得る。同時に、タンクから独立したシステムのほとんどいずれも、無希釈の混合成分に直接接触しない。特に、別の混合成分を有するタンクが使用される場合でも、システムを洗浄する必要はない。
【００１８】
タンクは特に、詰替え式の交換可能な容器である。計量ポンプはタンクと一体の部分であるので、タンクは自己計量式である。計量ポンプをタンクと一体化することによって、計量ポンプはその搬送容量に関して正確に設計でき、そこに含まれている混合成分の推奨施用量に合わせることができる。特に、計量ポンプは、広範囲の異なる体積流量にわたって計量することができる必要がない。これは、安価で単純な計量ポンプをただ一つの計量範囲で使用し得るという利点を有する。
【００１９】
本発明によるシステムの更なる開発によると、駆動ユニットは計量ポンプを液圧式で駆動する。計量ポンプは、特に、容器の中、すなわちタンクの中に直接液圧駆動装置を備えている。しかしながら、この液圧駆動力は、外部から、特に装置、例えばフィールド散布機から送られる。これにより、技術的な複雑さが低減し、結果としてタンク又は交換可能な容器にかかる費用が低下する。
【００２０】
本発明によるシステムの１つの実施形態によると、第２のストリームミキシングチャンバは、混合成分の第２のストリームラインへの供給場所の下流又はその場所で、第２のストリームラインに配置される。第２のストリームミキシングチャンバにより、計量供給された混合成分が確実に第２のストリームラインを通って流れるキャリヤ液と混合され、混合物が確実に均質化される。これは、タンクの計量ポンプによる搬送が不連続的に生じる場合に特に重要である。例えば、計量ポンプが往復動形ポンプである場合である。
【００２１】
システムは、少なくとも１の、第１のタンクの混合成分とは異なり得る混合成分を収容するための追加のタンクを更に含み得る。追加のタンクはまた、第２のストリームミキシングチャンバの上流又はそのチャンバの位置で第２のストリームラインに連結された吐出し口を含む。こうして、異なる混合成分がキャリヤ液の第２のストリーム中に計量供給され得、第２のストリームミキシングチャンバは混合物の均質化を確実にする。
【００２２】
第２の接合部は、メインストリームラインの、特に第１の接合部の下流に配置される。第２の接合部の更に下流では、メインストリームミキシングチャンバがメインストリームラインに配置される。メインストリームミキシングチャンバは、第２のストリームラインを経由してメインストリームライン中に投入された混合物を更に混合することを確実にする。メインストリームミキシングチャンバは、特に液体混合のための分配口の直前に配置される。この目的のために、１又は複数のノズルが、例えば散布ブームの場合にメインストリームラインの末端に配置され得る。
【００２３】
本発明によるシステムの更なる開発によると、駆動ユニットは制御ユニットへのデータ接続を有する。制御ユニットは、混合成分の第２のストリーム中への計量供給を制御し得る。タンク中に存在する混合成分の制御とタンクと一体の計量ポンプの制御を一致するために、タンクは、本発明によるシステムの更なる開発によって、計量ポンプの計量容量に関連するデータ及び／又は混合成分に関連するデータを保存するデータ保存媒体を含む。データは電子的に、又は、別の方法、例えばコードパターンもしくはバーコード等のコードによって保存され得る。計量ポンプは、特に早ければ充填作業中にも、通気(vent)され、較正される。その後、較正データはデータ保存媒体に保存され得る。
【００２４】
本発明によるシステムの更なる開発によると、タンクはデータ保存媒体を含むトランスポンダを含む。次に、システムはデータ保存媒体に保存されたデータを受信するための制御ユニットに接続された受信機を含む。こうして、制御ユニットは、計量ポンプの較正データ及び／又はタンク中に存在する混合成分の種類に応じて計量ポンプを制御し得る。
【００２５】
本発明によるシステムの更なる開発によると、システムはキャリヤ液のメインストリームを発生するための搬送ユニットを含む。この点で、メインストリームラインを通る体積流量は、例えば0.08 l/分〜約2.80 l/分の範囲で可変である。一方で、第２のストリームライン及び／又は弁は、第２のストリームラインを通るキャリヤ液の体積流量がメインストリームラインを通るキャリヤ液の体積流量から独立するように設計される。これにより、同じ流体圧が第２のストリームライン中に常にかかることを確実にすることが可能となる。そこで、混合成分の供給は常に同じキャリヤ液の体積流量で行われ、特に、メインストリームラインを通る体積流量から独立している。こうして、タンクと一体となった計量ポンプは、タンク中に含まれる混合成分及び一定の搬送流速を正確に一致させ得る。これは、安価な計量ポンプを使用し得るという利益を有する。
【００２６】
第２のストリームラインを通るキャリヤ液の第２のストリームを生じさせるために、弁、特に逆止弁を第１と第２の接合部の間のメインストリームラインに配置し得る。
【００２７】
本発明による方法では、キャリヤ液のメインストリームを生じさせる。第１の接合部で、キャリヤ液の一部を含む第２のストリームをメインストリームから分岐し、第２の接合部で、それをメインストリームに戻す。混合成分を収容するタンクに含まれる計量ポンプを、計量ポンプに着脱可能式で接続された駆動ユニットにより駆動し、タンク中に存在する混合成分を計量して第２のストリーム中に投入する。その後、キャリヤ液及び混合成分の混合物をメインストリーム中に投入する。その後、キャリヤ液及び混合成分の混合物を有するメインストリームを、分配、例えば散布する。
【００２８】
本方法は、特に、上記システムにより実行し得る。したがって、本方法はシステムと同じ利点を有する。
【００２９】
本方法では、計量ポンプを特に駆動ユニットにより液圧式で駆動する。更に、第２のストリームでは、混合物を混合成分の供給場所の下流又はその場所の第２のストリームミキシングチャンバ中で均質化することが好ましい。
【００３０】
本発明による方法の更なる実施形態によると、第２のストリームラインを通るキャリヤ液の体積流量はメインストリームラインを通るキャリヤ液の体積流量から独立している。これは、混合成分を常に同じ流体圧力に逆らって第２のストリーム中に投入することを確実にする。これにより、計量精度の向上が可能となる。
【００３１】
本発明による方法及び本発明によるシステムの混合成分は、特に活性化合物、好適には植物防疫剤を含む。例えば水をキャリヤ液として使用し得る。したがって、この場合には、水及び植物防疫剤の液体混合物が分配される。
【００３２】
更に本発明は、植物防疫剤を含む混合物を分配するための上記システムの使用に関する。
【００３３】
本発明によるシステムは、液状の植物防疫剤を放出するために特に適している。本発明によるシステムは例えば、EC、EW、SC、ME、SE又はODとして製剤化された液状の植物防疫剤と併せて使用され得る。これらの種類の製剤は、当業者に知られており、例えば、H. Mollet、A. Grubenmann 「Formulation technology」、WILEY-VCH、Weinheim 2001、pp. 389-397及びそこに記載されている文献に記載されている。
【００３４】
ECは、液状の植物防疫剤製剤であって、植物防疫活性化合物は水と混ざらない有機溶媒又は溶媒混合物中の均質溶液として存在し、溶液は水に希釈した時エマルションを生じるものとして当業者により理解されている。
【００３５】
EWは、液状の植物防疫剤製剤であって、植物防疫活性化合物は水中油型エマルションの形態で存在し、少なくとも１の植物防疫活性化合物が油滴中に存在するものとして当業者により理解されている。
【００３６】
SCは、液状の植物防疫剤製剤であって、植物防疫活性化合物は水性コヒーレント相中に懸濁された固体微粒子の形態で存在するものとして当業者により理解されている。これらの製剤はまた、懸濁濃厚剤として知られる。
【００３７】
MEは、液状の植物防疫剤製剤であって、植物防疫活性化合物はマイクロエマルションの形態で存在し、典型的には少なくとも１の防疫活性化合物が通常油相中に溶解しているものとして当業者により理解されている。
【００３８】
ODは、液状の植物防疫剤製剤であって、植物防疫活性化合物は非水性コヒーレント相中に懸濁された固体微粒子の形態で存在するものとして当業者により理解されている。これらの製剤はまた、油分散濃厚剤として知られる。
【００３９】
SEは、液状の植物防疫剤製剤であって、植物防疫活性化合物は、非水性液相中に懸濁された固体微粒子の形態で存在するものを次に水相中に乳化させたものとして当業者により理解されている。これらの製剤はまた、サスポ-エマルション濃厚剤として知られる。
【００４０】
１又は複数の、好適には有機植物防疫活性化合物及び少なくとも１の水性又は非水性希釈剤に加えて、一般に上記の製剤は、アニオン性及び非イオン性乳化剤、並びに、アニオン性及び非イオン性ポリマー分散補助剤からしばしば選択される、少なくとも１の表面活性物質を含み、それは、製剤を水で希釈した場合に、安定した懸濁液又はエマルションを形成するのに役立ち、EW、SC、ME、OD又はSE等の多相性液体製剤の場合には、相を安定化するのに役立つ。製剤は、植物防疫剤の効果を改善する「補助剤」を任意に含む。更に、製剤は一般に、１又は複数の、レオロジー特性を改良する添加剤、不凍剤、着色剤、及び殺生物剤等の添加剤をそれぞれの製剤の種類に応じた量で含む。
【００４１】
以下、典型的な実施形態を用い、かつ、図面を参照して本発明を説明する。
【図面の簡単な説明】
【００４２】
【図１】図１は、本発明によるシステムの典型的実施形態の基本構造を示す。
【図２】図２は、本発明によるシステムの典型的実施形態の構造を詳細に示す。
【発明を実施するための形態】
【００４３】
典型的実施形態は、水と１又は複数の植物防疫剤の混合物を分配するシステムを含む。システムはトレーラー２０に搭載された「フィールド散布機」を含み、それは、例えばトラクターにより農地一面に牽引され得る。
【００４４】
貯蔵タンク２４はキャリヤ液を構成する水を備える。水は、ポンプ２７によりメインストリームライン２３を通って送られる。このようにして、一定の体積流量が生成し、これは、広い範囲にわたって変わり得る。メインストリームライン２３の第１の接合部２５では、第２のストリームライン３がメインストリームライン２３から分岐する。第２のストリームライン３は、下記に説明するように１又は複数のフィールド散布装置４を通過する。フィールド散布装置４では、交換可能な容器の形態であるタンク１が、第２のストリームライン３に着脱可能式に接続される。
【００４５】
フィールド散布装置４の下流では、第２のストリームミキシングチャンバ９が第２のストリームライン３に配置される。第２のストリームミキシングチャンバ９の下流では、第２のストリームライン３が第２の接合部２６でメインストリームライン２３に戻る。第２の接合部２６は、第１の接合部２５の下流でメインストリームライン２３に配置される。第２のストリーム弁６は、第１の接合部２５と第２の接合部２６の間に配置される。第２の接合部２６の下流では、メインストリームミキシングチャンバ７が配置される。これは、トレーラー２０のブーム２１の中央部分に搭載される。最後に、メインストリームライン２３はノズル２２につながり、これは様々な幅でブーム２１に取り付けられ得る。
【００４６】
液体混合物を田畑に分配するために、トレーラー２０を田畑一面に動かし、植物防疫剤をメインストリームライン２３を通って流れる水のストリーム中に直接計量供給する。
【００４７】
混合物を分配するシステム及び関連する方法は、図２を参照することにより以下に詳細に説明される。
【００４８】
水のメインストリームはメインストリームライン２３を経由して第１の接合部２５に到達する。第１の接合部２５の下流では、第２のストリーム弁６がメインストリームに配置される。本典型的実施形態では、この第２のストリーム弁６は逆止弁の形態を採る。それは、圧力低下を生じ、その大きさは、逆止弁の開口圧力及びメインストリームライン２３中の水の体積流量に依存する。第２のストリーム弁６は第２のストリームライン３中に水の第２のストリームを生じる。第２のストリームライン３の断面及び逆止弁６の形状は、メインストリームライン２３を通る農業的に一般的な流速で、メインストリームライン２３中の体積流量における変動よりも明確により小さく変化する第２のストリームライン３を通る体積流量が発生するように選択される。第２のストリームライン３中の体積流量はほとんど変化しないか、又は全く変化しないことが好ましい。したがって、第２のストリームライン３を通る体積流量は、特にメインストリームライン２３中の体積流量から独立している。
【００４９】
メインストリーム中の変動は、異なる目的の分配量、スプレーノズル２２が搭載されているブームの異なる幅及び異なる操作速度によってもたらされる。例えば、メインストリームの体積流量は、約6 l/分〜約200 l/分の範囲内で異なり得る。このような変動により、植物防疫剤のパルス容量におけるメインストリーム中への植物防疫剤の信頼できる計量は、非常に困難である。したがって、本発明によれば、任意にパルス状である植物防疫剤の供給は、水の体積流量がほとんど又は全く変化しない第２のストリームライン３の第２のストリーム中に行う。
【００５０】
加えて、可能な限り大きい流速は、第２のストリーム弁６の下流での圧力降下に応じて、かつ、第２のストリームライン３の断面の選択によって、第２のストリームにおいて確立される。したがって、第２のストリームは、配分された植物防疫剤を、タンク１の位置から、トレーラー２０の散布ブームから比較的離れて配置され得る第２の接合部２６に運ぶために使用され得る。更に、第２のストリームライン３中の第２のストリームは、第２のストリームミキシングチャンバ９の位置からメインストリームミキシングチャンバ７の位置への計量した植物防疫剤の運搬を行う。
【００５１】
タンク１中に存在する植物防疫剤の第２のストリームライン３中の水のストリーム中への計量供給は、以下に説明される。
【００５２】
図２は２つのタンク１のための２つの連結部を示す。この図は、単なる一例である。タンク１のための非常にずっと多くの連結部が、特に農業分野において備えられ得る。
【００５３】
計量ポンプ２はタンク１と一体の部分である。計量ポンプ２は、例えばデュアルピストン計量ポンプの形態を採る。それは、単純で安価な構造及び高信頼性により特徴付けられる。タンク１は、安全弁１５を更に含む。安全弁１５は計量ポンプ２のタンク１から遠い方の側に配置され、タンク１をフィールド散布装置４の連結部に連結しない時は、常にタンク１の連結を確実に閉める。タンク１は、吐出し口３１を含み、これは、タンク１が連結されている場合に、計量ポンプ２、安全弁１５及び吐出しライン３２を経由してフィールド散布装置４の連結部１１に連結される。タンク１のフィールド散布装置４への着脱可能な連結は、適切な迅速接続システムを経由して行う。このような迅速接続システムはそれ自体知られており、図２には示されていない。
【００５４】
更に、タンク１の通気(venting)ラインは連結部１３を経由してフィールド散布装置４の通気ライン５に接続される。
【００５５】
計量ポンプ２は、フィールド散布装置４の駆動ユニットにより液圧式で駆動される。特に、ポンプはそれ自身の駆動装置を有さず、むしろ、外部から駆動され、制御される。駆動ユニットは液圧弁８並びに液圧ライン２８及び２９を含む。操作において、タンク１の計量ポンプ２は２つの液圧連結部１０及び１２を経由して駆動ユニットの液圧ライン２８及び２９に連結される。液圧弁８は電子的に制御、すなわち、制御ユニット３０により開閉される。こうして、計量ポンプ２は液圧式で駆動され、植物防疫剤をパルス方式、すなわち、不連続的にタンク１から吐出しライン３２中を通って連結部１１へと送り得る。連結部１１から、植物防疫剤は、背圧弁１４を経由して第２のストリームライン３中の水のストリーム中へと進む。
【００５６】
植物防疫剤が第２のストリームライン３中に進むときに通る背圧弁１４は、第２のストリームライン３の第２のストリーム中に存在する背圧に関わらず常に１０barの圧力で開放するように構成されている。したがって、適切な分離が植物防疫剤の供給前に植物防疫剤と水との間で常に生じる。植物防疫剤は第２のストリームライン３の水中に流れ込むことができるだけであり、逆方向に戻ることはない。更に、この背圧弁１４は、タンク１の計量ポンプ２が常に１０barの圧力に抗して搬送することを確実にする。こうして、背圧は計量ポンプ２のパルス容量に対して影響する変動として除去される。
【００５７】
デュアルピストン計量ポンプ２はパルスで搬送するので、第２のストリームミキシングチャンバ９は植物防疫剤の第２のストリームライン３への供給場所の下流に備えられる。第２のストリームミキシングチャンバ９では、パルスで計量供給された植物防疫剤の容量は、水のストリーム中で均一に混合され、均質化される。したがって、第２のストリームミキシングチャンバ９によって、第２のストリームライン３において、少なくとも１の植物防疫剤のパルスと第２の水のストリームから均質な混合物が生じる。
【００５８】
その後、均質な混合物は、第２のストリームミキシングチャンバ９から、連続した計量されたストリームとして第２の接合部２６へと進む。そこで、混合物は水のメインストリーム中に混合される。メインストリーム中への混合後にも均質化を達成するために、メインストリームミキシングチャンバ７が第２の接合部２６の下流に備えられる。
【００５９】
したがって、異なる目的を有する２つのミキシングチャンバ７、９がシステムの異なる位置に配置される。この点で、第２のストリームライン３中の第２のストリームは、第２のストリームミキシングチャンバ９からメインストリームミキシングチャンバ７への混合物の輸送を確実にする。
【００６０】
２つのミキシングチャンバ７及び９が備えられると、メインストリームミキシングチャンバ７は、連続的に供給される濃縮物を場合により変化することがあるメインストリーム中に混合するだけなので、メインストリームミキシングチャンバ７の形状は単純化され得る。したがって、単純な静的混合システムがメインストリームミキシングチャンバ７に使用され得、これは非常に安価である。
【００６１】
タンク１の計量ポンプ２は、タンク１が植物防疫剤で充填される場合、植物防疫剤製造作業で較正される。タンク１の充填の際に、計量ポンプ２は同時に通気される。較正データは、タンク１に取り付けられたデータ保存媒体３２に保存される。データ保存媒体３２は特に、「無線チップ」の形態のトランスポンダであり得る。較正により決定される計量ポンプ２のパルス容量は、データ保存媒体３２に保存される。加えて、タンク１に収容される植物防疫剤のデータも、データ保存媒体３２に保存され得る。
【００６２】
タンク１がフィールド散布装置４に連結される場合、データ保存媒体３２に保存されたデータは、制御ユニット３０に接続された受信機３３に転送される。こうして、制御ユニット３０は液圧弁８を制御し、これにより計量ポンプ２をタンク１からの一定量の植物防疫剤が非常に正確に計量されて第２のストリームライン３中に投入されるように制御し得る。
【００６３】
本発明によるシステムの典型的実施形態は以下のように操作される。
【００６４】
貯蔵タンク２４は供給用の水で充填されている。加えて、タンク１は、フィールド散布装置４に連結される。タンク１の計量ポンプ２及びタンク１に収容された植物防疫剤に関連するデータ保存媒体３２に保存されたデータは、受信機３３を経由して読み出され、制御ユニット３０に転送される。
【００６５】
その後、トレーラー２０は一定の速度で農地一面に牽引される。この速度はまた、制御ユニット３０に転送される。
【００６６】
一定の体積流量を有する水のストリームはポンプ２７によりメインストリームライン２３中に生じる。この場合、ポンプ２７はまた、制御ユニット３０により制御され得る。第２のストリームライン３中の第２のストリームは、逆止弁６により上記で説明されたように生じる。メインストリームライン２３中のメインストリームは逆止弁６を開ける圧力を発生し、これによりノズル２２へのメインストリームを生じる。しかしながら、圧力降下が起こり、これは、メインストリームの一部の水が第２のストリームライン３を流れることを確実にする。
【００６７】
液圧弁８を経由して、制御ユニット３０は、植物防疫剤がパルスにおいてタンク１から吐出しライン３２を経由して第２のストリームライン３中に目的の量で計量投入されるようにタンク１の計量ポンプ２を作動させる。この場合、それぞれのタンク１から第２のストリームライン３中に計量投入された植物防疫剤の量は、制御ユニット３０により非常に正確に制御される。
【００６８】
第２のストリームミキシングチャンバ９では、水と計量投入された植物防疫剤の混合物が均質化され、最終的に第２の接合部２６でメインストリーム中に戻る。メインストリームミキシングチャンバ７では、混合物は更に均質化され、最終的にノズル２２を経由して田畑に散布される。
【００６９】
上記システム及び上記方法は、特に上記植物防疫剤と併せて使用される。
【符号の説明】
【００７０】
１  タンク
２  計量ポンプ
３  第２のストリームライン
４  フィールド散布装置
５  通気ライン
６  第２のストリーム弁
７  メインストリームミキシングチャンバ
８  液圧弁
９  第２のストリームミキシングチャンバ
１０  連結部
１１  連結部
１２  連結部
１３  連結部
１４  背圧弁
１５  安全弁
２０  トレーラー
２１  ブーム
２２  ノズル
２３  メインストリームライン
２４  貯蔵タンク
２５  第１の接合部
２６  第２の接合部
２７  ポンプ
２８  液圧ライン
２９  液圧ライン
３０  制御ユニット
３１  吐出し口
３２  データ保存媒体
３３  受信機
【図１】
2015509062.tif 000003
【図２】
2015509062.tif 000004
【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
キャリヤ液のメインストリームの通過のためのメインストリームライン（２３）、
第１の接合部（２５）でメインストリームライン（２３）から分岐しており、第２の接合部（２６）でメインストリームライン（２３）に戻る第２のストリームライン（３）、及び
混合成分を収容するための少なくとも１のタンク（１）であって、タンク（１）が第２のストリームライン（３）に連結された吐出し口（３１）を含む前記タンク、ここで、タンク（１）はタンク（１）中に存在する混合成分を吐出しライン（３２）を通って第２のストリームライン（３）中に搬送するための計量ポンプ（２）を含み、
計量ポンプ（２）に着脱可能式で接続される、計量ポンプ（２）を駆動するための駆動ユニット（８、２８、２９）、
を有する液体混合物を分配するためのシステムであって、
計量ポンプ（２）がタンク（１）と一体であり、
駆動ユニット（８、２８、２９）が制御ユニット（３０）へのデータ接続を有し、制御ユニット（３０）が混合成分の第２のストリーム中への計量供給を制御し得、かつ
タンク（１）が、計量ポンプ（２）の計量容量に関連するデータ及び／又は収容される混合成分に関連するデータを保存するデータ保存媒体（３２）を含むトランスポンダを含み、システムがデータ保存媒体（３２）に保存されたデータを受信するための制御ユニット（３０）に接続された受信機（３３）を含む、
前記システム。
【請求項２】
駆動ユニット（８、２８、２９）が計量ポンプ（２）を液圧式で駆動する、
請求項１に記載のシステム。
【請求項３】
第２のストリームミキシングチャンバ（９）が混合成分の第２のストリームライン（３）への供給場所の下流又はその場所で、第２のストリームライン（３）に配置される、
請求項１又は２に記載のシステム。
【請求項４】
システムが混合成分を収容するための少なくとも１の追加のタンク（１）を含み、追加のタンク（１）が第２のストリームミキシングチャンバ（９）の上流又はその位置で第２のストリームライン（３）に連結される吐出し口（３１）を含む、
請求項３に記載のシステム。
【請求項５】
メインストリームミキシングチャンバ（７）が第２の接合部（２６）の下流でメインストリームライン（２３）に配置される、
請求項１〜４のいずれか１項に記載のシステム。
【請求項６】
弁（６）が第１と第２の接合部（２５、２６）の間のメインストリームライン（２３）に配置される、
請求項１〜５のいずれか１項に記載のシステム。
【請求項７】
システムがキャリヤ液のメインストリームを発生するための搬送ユニット（２７）を含み、メインストリームライン（２３）を通る体積流量が可変であり、第２のストリームライン（３）及び／又は弁（６）が、第２のストリームライン（３）を通るキャリヤ液の体積流量がメインストリームライン（２３）を通るキャリヤ液の体積流量から独立するように設計される、
請求項１〜６のいずれか１項に記載のシステム。
【請求項８】
キャリヤ液のメインストリームを生じ、
第１の接合部（２５）で、キャリヤ液の一部を含む第２のストリームをメインストリームから分岐し、第２の接合部（２６）で、それをメインストリームに戻し、
混合成分を収容するタンク（１）に含まれる計量ポンプ（２）を、計量ポンプ（２）に着脱可能式で接続された駆動ユニット（８、２８、２９）により駆動し、ここで、タンク（１）は、計量ポンプ（２）の計量容量に関連するデータ及び／又は収容される混合成分に関連するデータを保存するデータ保存媒体（３２）を含むトランスポンダを含み、駆動ユニット（８、２８、２９）は制御ユニット（３０）へのデータ接続を有し、タンク（１）中に存在する混合成分を計量して第２のストリーム中に投入し、ここで、混合成分の第２のストリーム中への計量供給は制御ユニット（３０）により制御され、
データ保存媒体（３２）に保存されたデータは、制御ユニット（３０）に接続された受信機（３３）に転送され、
キャリヤ液及び混合成分の混合物をメインストリーム中に投入し、かつ
キャリヤ液及び混合成分の混合物を有するメインストリームを分配する、
液体混合物を分配するための方法。
【請求項９】
計量ポンプ（２）を駆動ユニット（８、２８、２９）により液圧式で駆動する、
請求項８に記載する方法。
【請求項１０】
第２のストリームにおいて、混合物を混合成分の供給場所の下流又はその場所で、第２のストリームミキシングチャンバ（９）中で均質化する、
請求項８又は９に記載の方法。
【請求項１１】
第２のストリームライン（３）を通るキャリヤ液の体積流量がメインストリームライン（２３）を通るキャリヤ液の体積流量から独立している、
請求項８〜１０のいずれか１項に記載の方法。
【請求項１２】
混合成分が活性化合物、特に植物防疫剤を含む、
請求項８〜１１のいずれか１項に記載の方法。
【請求項１３】
植物防疫剤を含む混合物を分配するための請求項１〜７のいずれか１項に記載のシステムの使用。
【国際調査報告】
2015509062.tif 000005
2015509062.tif 000006
2015509062.tif 000007
2015509062.tif 000008
2015509062.tif 000009
2015509062.tif 000010